(57)【要約】【課題】  他部材の取付けや加工を施すことなく、任意の可動体を後から施錠可能とすることのできる施錠装置を提供し、施錠機能付加の簡便化を図る。【解決手段】  施錠装置１００において、長手方向一端に鉤状屈曲部１１を有しかつ長手方向に複数の係止部１３を並設した短冊状のスライド板Ａと、このスライド板Ａを長手方向他端から挿入する保持溝１９の形成されたブロック状の本体Ｂと、この本体Ｂに固定され外筒３９から半径方向外側に突出させたラッチ４７を保持溝１９に突出させこの保持溝１９に挿入されたスライド板Ａの係止部１３に係止してスライド板Ａの抜脱を阻止する一方、内筒３７に挿入された合鍵４１の回転によってラッチ４７を保持溝１９から後退可能とするシリンダー錠Ｃとを設けた。【選択図】      図１
2006016796.tif 000002
【特許請求の範囲】
【請求項１】
長手方向一端に鉤状屈曲部を有しかつ長手方向に複数の係止部を並設した短冊状のスライド板と、
該スライド板を長手方向他端から挿入する保持溝の形成されたブロック状の本体と、
該本体に固定され外筒から半径方向外側に突出させたラッチを前記保持溝に突出させ該保持溝に挿入された前記スライド板の係止部に係止して前記スライド板の抜脱を阻止する一方、内筒に挿入された合鍵の回転によって前記ラッチを前記保持溝から後退可能とするシリンダー錠と、
からなることを特徴とする施錠装置。
【請求項２】
前記スライド板と前記本体とが所定長の可撓性長体で接続されたことを特徴とする請求項１記載の施錠装置。
【発明の詳細な説明】
【技術分野】
【０００１】
本発明は、机、脇机などの筐体や枠体に対し、引出しや扉などの可動体を開放不能に施錠する施錠装置に関する。
【背景技術】
【０００２】
オフィスなどの事務机や脇机などでは、防犯上引出しに施錠機能の備わっていることが好ましい。また、家庭における家具の引出しや学習机においても、プライバシー保護などの要望から施錠機能の付加されていることが好まれる場合もある。さらに、本来さほど防犯性が必要とされていなかったために施錠装置の備えられなかったドアや、ロッカーなどの収納什器に対し、プライバシー保護や防犯などの要望で、後から簡便な施錠機能が必要となる場合もあった。
【発明の開示】
【発明が解決しようとする課題】
【０００３】
しかしながら、ドアや、机などの引出しに施錠装置を後から設けるには、シリンダー錠を組付けるとともに、錠係止構造を付与しなければならず、新たな施錠機能を付加することは簡単でなかった。また、上記のような机や脇机などには、例えば複数の引出しのうちの１つの引出しの前面に鍵穴を配設し、内部において全ての引出しと机の筐体部分とに亘り閂部材を作動させることで、筐体に対して全引出しの開放を阻止する簡易な施錠機構を備えたものもあるが、１つの引出しを解錠すれば全引出しが解錠されてしまうことから、各引出しを複数人で使用する場合には有効な施錠機構とは言えなかった。
【０００４】
本発明は上記状況に鑑みてなされたもので、他部材の取付けや加工を施すことなく、任意の可動体を後から施錠可能とすることのできる施錠装置を提供し、施錠機能付加の簡便化を図ることを目的とする。
【課題を解決するための手段】
【０００５】
次に、上記の課題を解決するための手段を、実施の形態に対応する図面を参照して説明する。
本発明の請求項１記載の施錠装置は、長手方向一端に鉤状屈曲部１１を有しかつ長手方向に複数の係止部１３を並設した短冊状のスライド板Ａと、
該スライド板Ａを長手方向他端から挿入する保持溝１９の形成されたブロック状の本体Ｂと、
該本体Ｂに固定され外筒３９から半径方向外側に突出させたラッチ４７を前記保持溝１９に突出させ該保持溝１９に挿入された前記スライド板Ａの係止部１３に係止して前記スライド板Ａの抜脱を阻止する一方、内筒３７に挿入された合鍵４１の回転によって前記ラッチ４７を前記保持溝１９から後退可能とするシリンダー錠Ｃと、
からなることを特徴とする。
【０００６】
この施錠装置１００では、鉤状屈曲部１１が枠体６５に係止されて、可動体であるドア６９と枠体６５との隙間にスライド板Ａが差し入れられ、隙間から突出したこのスライド板Ａの他端に本体Ｂが挿入され、ラッチ４７によってスライド板Ａ板と本体Ｂとの抜脱が規制されることで、枠体６５に係止したスライド板Ａと一体固定された本体Ｂが、ドア（可動体）６９の開放側正面に当接されて、ドア（可動体）６９の開放が阻止される。
【０００７】
請求項２記載の施錠装置１００は、前記スライド板Ａと前記本体Ｂとが所定長の可撓性長体２１で接続されたことを特徴とする。
【０００８】
この施錠装置１００では、スライド板Ａと本体Ｂとが可撓性長体、例えばワイヤ２１によって繋がれ、スライド板Ａ又は本体Ｂのいずれか一方の紛失が防止される。また、スライド板Ａに接続されたワイヤ２１が、自転車６１の車輪６３等に挿通され、さらに柱等に巻きつけられて本体Ｂに挿入ロックされれば、自転車６１と柱とがループ状のワイヤ２１で繋がれる。
【発明の効果】
【０００９】
本発明に係る請求項１記載の施錠装置によれば、一端に鉤状屈曲部を有し長手方向に複数の係止部を並設したスライド板と、このスライド板を挿入する保持溝の形成されたブロック状の本体と、本体に固定されラッチをスライド板の係止部に係止して抜脱を阻止する一方、挿入された合鍵の回転によってラッチを保持溝から後退可能とするシリンダー錠とを備えたので、鉤状屈曲部を枠体の例えばストライクに係止して、可動体であるドアや引出し等と枠体との隙間にスライド板を差し入れ、隙間から突出したこのスライド板の他端に本体を挿入し、ラッチによってスライド板と本体との抜脱を規制することで、ストライクに係止したスライド板と一体固定された本体を、ドアなどの開放側正面に当接させて、ドアの開放を阻止することができる。また、施錠装置の設けられているドアに対しては、所謂ワンドアツーロックを実現できる。これにより、他部材の取付けや新たな加工を施すことなく、施錠装置が設けられていない机や脇机の引出し、ドアなどに対して施錠機能を簡単に付加することができる。
【００１０】
請求項２記載の施錠装置によれば、スライド板と本体とを所定長の可撓性長体で接続したので、スライド板又は本体のいずれか一方の紛失を防止することができる。これに加え、スライド板に接続された可撓性長体を、自転車の車輪等に挿通し、柱等に巻きつけて本体に挿入ロックすれば、自転車と柱をループ状となった可撓性長体で繋ぎ止めることができる。
【発明を実施するための最良の形態】
【００１１】
以下、本発明に係る施錠装置の好適な実施の形態を図面を参照して詳細に説明する。
図１は本発明に係る施錠装置の分解斜視図、図２は図１に示したシリンダー錠を反対側から見た斜視図、図３は本体とシリンダー錠との固定部を表すスライド板挿入方向に直交方向の断面図、図４は内筒とラッチとの係合部を表すスライド板挿入方向に直交方向の断面図、図５は図４のラッチ後退状態を表す断面図である。
【００１２】
本実施の形態による施錠装置１００は、スライド板Ａと、本体Ｂと、シリンダー錠Ｃとで大略構成される。
スライド板Ａは、例えば短冊状に形成した金属板の長手方向一端に鉤状屈曲部１１が形成される。本実施の形態では、図１に示すように、この鉤状屈曲部１１は、Ｌ字形状に形成されるが、この他、コ字形状などに形成されてもよい。スライド板Ａの少なくとも一方の面には、長手方向に複数の係止部１３が並設され、係止部１３は後述のラッチが係止する凹凸とすることができる。なお、係止部１３は、スライド板Ａを貫通した透孔であってもよい。
【００１３】
本体Ｂは、半楕円柱体の軸線方向一端側にフランジ部１５を設けたブロック状に形成される。本体Ｂには軸線方向にシリンダー錠収容穴１７が穿設され、このシリンダー錠収容穴１７はシリンダー錠Ｃの表面を表出させてその殆どを収容する。また、本体Ｂの上面側には、軸線方向に沿う方向で保持溝１９が形成され、保持溝１９は軸線に沿う方向で本体Ｂを貫通している。この保持溝１９には、上記のスライド板Ａが挿入可能となる。
【００１４】
本体Ｂのフランジ部１５とスライド板Ａとは、所定長の可撓性長体としてのワイヤ２１によって繋がれている。ワイヤ２１は、止リング２３を介してスライド板Ａの他端に係着される。本体Ｂの上面には、スライド板Ａを保持溝１９へ挿入した際、この止リング２３との干渉を回避するスリット２５が形成されている。すなわち、このスリット２５と保持溝１９とで、図１，３に示すように、奥拡がりな蟻溝形状とされる。
ワイヤ２１の長さは、例えば自転車の車輪を、近傍の柱等に巻きつける程度に設定される。なお、可撓性長体としては、上記ワイヤ２１の他に、チェーンや、ロープ、紐などで構成してもよい。
【００１５】
本体Ｂの上面にはスリット２５を挟んで一対のネジ穴２７，２７が形成され、ネジ穴２７，２７はシリンダー錠収容穴１７の直径より小さい間隔で離間されている。一方、図３に示すように、シリンダー錠Ｃにはこのネジ穴２７，２７の間隔と同間隔で一対の固定溝２９，２９が形成されている。したがって、シリンダー錠Ｃは、シリンダー錠収容穴１７に挿入されて、ネジ穴２７，２７に固定ネジ３１，３１が螺合されることで、この固定ネジ３１，３１が固定溝２９，２９に進入してシリンダー錠収容穴１７からの脱落、及び相対回転が規制されて、本体Ｂに取付け固定されるようになっている。
【００１６】
シリンダー錠Ｃは、内筒３７と外筒３９とを有し、内筒３７には合鍵４１が挿抜可能となっている。シリンダー錠Ｃは、合鍵４１を挿入することで、内筒３７と外筒３９との間に配置される複数のシアーピン（図示せず）が、シアーラインを内外筒の境界に一致させ、内筒３７が外筒３９に対し回転可能となる。すなわち、解錠可能となる。
【００１７】
内筒３７の後面には、図２に示す軸芯から偏芯した位置に偏芯突起４３が突設されている。また、外筒３９の後端面には、直径方向の溝４５が所定幅で形成され、この溝４５にはラッチ４７が直径方向に摺動自在に配置される。外筒３９とラッチ４７との間には圧縮バネ４９が配置され、圧縮バネ４９はラッチ先端を外筒３９から突出させる方向にラッチ４７を付勢している。
【００１８】
また、ラッチ４７には解錠用切欠５１が形成され、解錠用切欠５１には内筒３７の偏芯突起４３が係合されている。シリンダー錠Ｃは、内筒３７が解錠操作されることにより、偏芯突起４３が回転し、この回転する偏芯突起４３により解錠用切欠５１が押圧されることで、圧縮バネ４９の付勢力に抗してラッチ先端を外筒３９の外周から半径方向内側に後退させるようになっている。
【００１９】
シリンダー錠Ｃは、図４に示すように、外筒３９半径方向外側に突出させたラッチ４７を保持溝１９内に突出させ保持溝１９に挿入されたスライド板Ａの係止部１３に係止して、スライド板Ａの抜脱を阻止（ロック）する。また、シリンダー錠Ｃは、内筒３７に挿入された合鍵４１の回転によって、図５に示すように、ラッチ４７を保持溝１９から後退可能、つまり、スライド板Ａのロックを解除可能としている。
【００２０】
上記のように構成された施錠装置の作用を説明する。
図６は本発明に係る施錠装置によって車輪が繋がれた自転車の斜視図である。
施錠装置１００は、本体Ｂから抜かれたスライド板Ａが、例えば自転車６１の車輪６３に通される。次いで、車輪６３に挿通されたスライド板Ａが、本体Ｂの保持溝１９に挿入される。
【００２１】
本体Ｂは、スライド板Ａが挿入されると、ラッチ４７が圧縮バネ４９の付勢力に抗して押下げられ、スライド板Ａの挿入が停止された位置で、係止部１３にラッチ４７が係止して、スライド板Ａの抜脱が規制される。これにより、車輪６３には、ループ状となったワイヤ２１が掛け回され、自転車６１の盗難が防止可能となる。また、この施錠装置１００では、スライド板Ａと本体Ｂとがワイヤ２１によって繋がれているので、スライド板Ａ又は本体Ｂのいずれか一方の紛失が防止される。
なお、車輪６３にてループ状となるワイヤ２１を、近傍の図示しない柱等に掛け回すように、スライド板Ａを本体Ｂの保持溝１９に挿入することで、車輪６３と図示しない柱とがループ状となったワイヤ２１に繋がれ、自転車６１の盗難を防止可能とすることもできる。
【００２２】
次に、本発明に係る施錠装置１００の他の使用例を説明する。
図７はストライクにスライド板を係止した施錠装置の斜視図、図８はストライクに係止したスライド板に本体が挿入ロックされた施錠装置の斜視図である。
施錠装置１００は、ループ状となったワイヤ２１を利用して、自転車６１などの可動体の繋ぎとめによる盗難防止機能の他に、ドア、引出しなどの開閉を規制する施錠機能も有する。
この場合、図７に示すように、鉤状屈曲部１１が枠体６５のストライク６７に係止されて、可動体であるドア６９と枠体６５との隙間にスライド板Ａが差し入れられる。そして、隙間から突出したこのスライド板Ａの他端に本体Ｂの保持溝１９が挿入される。すると、ラッチ４７によってスライド板Ａと本体Ｂとの抜脱が規制されることで、枠体６５に係止したスライド板Ａと一体固定された本体Ｂが、図８に示すように、ドア６９の開放側正面に当接されて、ドア６９の開放が阻止される。
【００２３】
したがって、施錠装置１００によれば、一端に鉤状屈曲部１１を有し長手方向に複数の係止部１３を並設したスライド板Ａと、このスライド板Ａを挿入する保持溝１９の形成されたブロック状の本体Ｂと、本体Ｂに固定されラッチ４７をスライド板Ａの係止部１３に係止して抜脱を阻止する一方、挿入された合鍵４１の回転によってラッチ４７を保持溝１９から後退可能とするシリンダー錠Ｃとを備えたので、鉤状屈曲部１１を枠体６５の例えばストライク６７に係止して、可動体、例えばドア６９や引出しなどと枠体６５との隙間にスライド板Ａを差し入れ、隙間から突出したこのスライド板Ａの他端に本体Ｂを挿入し、ラッチ４７によってスライド板Ａと本体Ｂとの抜脱を規制することで、ストライク６７に係止したスライド板Ａと一体固定された本体Ｂを、ドア６９などの開放側正面に当接させて開放を阻止することができる。また、施錠装置１００の設けられているドア６９に対しては、所謂ワンドアツーロックを実現できる。これにより、他部材の取付けや新たな加工を施すことなく、施錠装置１００が設けられていない机や脇机の引出し、ドア６９などに対して施錠機能を簡単に付加することができる。
【００２４】
さらに、複数ある引出しやロッカー扉などの可動体のうち任意の１つのものを後から施錠したい場合に有効となり、複数人で、各引出しをそれぞれ個別に使うこともできるようになる。例えば病室内に備えられる入院患者用の脇机などであっても、利用者が上記の施錠装置（備品、私物のいずれでもよい）１００を使用することで、施錠機能を簡便に付加でき、入院中における貴重品などを簡便に管理することが可能となる。また、オフィスにおける机を、一時的に他の人員に貸与する場合に、その人員に机の引出しの管理を行わせることが可能となる。さらに、家庭内における家具や机などに備えられる引出しに対しても、容易に施錠機能を付加することができる。このような引出しなどを対象とする場合では、枠体側に対して係止する鉤状屈曲部１１の形状を変えることで、対応が可能となり、例えばこの鉤状屈曲部１１をコ字形状などとし、係止させる構成とすることで上記効果を得ることができる。
【００２５】
なお、施錠装置１００は、ドア６９、引出しなどの施錠用として使用する場合には、必ずしもワイヤなどの可撓性長体２１を必須の構成要件とはしない。
【図面の簡単な説明】
【００２６】
【図１】本発明に係る施錠装置の分解斜視図である。
【図２】図１に示したシリンダー錠を反対側から見た斜視図である。
【図３】本体とシリンダー錠との固定部を表すスライド板挿入方向に直交方向の断面図である。
【図４】内筒とラッチとの係合部を表すスライド板挿入方向に直交方向の断面図である。
【図５】図４のラッチ後退状態を表す断面図である。
【図６】本発明に係る施錠装置によって車輪が繋がれた自転車の斜視図である。
【図７】ストライクにスライド板を係止した施錠装置の斜視図である。
【図８】ストライクに係止したスライド板に本体が挿入ロックされた施錠装置の斜視図である。
【符号の説明】
【００２７】
１１…鉤状屈曲部
１３…係止部
１９…保持溝
２１…可撓性長体（ワイヤ）
３７…内筒
３９…外筒
４１…合鍵
４７…ラッチ
１００…施錠装置
Ａ…スライド板
Ｂ…本体
Ｃ…シリンダー錠
【図１】
2006016796.tif 000003
【図２】
2006016796.tif 000004
【図３】
2006016796.tif 000005
【図４】
2006016796.tif 000006
【図５】
2006016796.tif 000007
【図６】
2006016796.tif 000008
【図７】
2006016796.tif 000009
【図８】
2006016796.tif 000010